(57)【要約】【課題】新聞に掲載された広告をユーザが確実に閲覧する表示装置を提供する。【解決手段】表示装置は、コンテンツの表示範囲の指定を受け付ける受付部と、前記コンテンツから前記表示範囲とは別に表示すべき抽出情報を抽出する抽出部と、前記受付部が表示範囲の指定を受け付けた場合に、前記コンテンツのうち当該指定された表示範囲に掲載された情報である分割コンテンツ情報と前記抽出した情報のうち少なくとも一つとを含んだ画像を生成し表示する表示制御部と、を備える。【選択図】図１
2015176544.tif 000002
【特許請求の範囲】
【請求項１】
コンテンツの表示範囲の指定を受け付ける受付部と、
前記コンテンツから前記表示範囲とは別に表示すべき抽出情報を抽出する抽出部と、
前記受付部が表示範囲の指定を受け付けた場合に、前記コンテンツのうち当該指定された表示範囲に掲載された情報である分割コンテンツ情報と前記抽出情報とのうち少なくとも一つを含んだ画像を生成し表示する表示制御部と、
を備えることを特徴とする表示装置。
【請求項２】
前記抽出情報を分割する分割部
をさらに備えることを特徴とする請求項１に記載の表示装置。
【請求項３】
前記表示制御部は、前記分割した抽出情報のうち少なくとも一つを前記分割コンテンツ情報の周縁の外側に配置した画像を生成する
ことを特徴とする請求項２に記載の表示装置。
【請求項４】
前記表示制御部は、前記受付部が現在表示されている表示範囲とは異なる他の表示範囲の指定を受け付けると、当該他の表示範囲に係る画像を表示する前に、前記分割した抽出情報のうち少なくとも一つを、所定時間表示する
ことを特徴とする請求項２に記載の表示装置。
【請求項５】
前記表示制御部は、前記分割した抽出情報のうち少なくとも一つについて、その一部を前記分割コンテンツ情報の周縁の外側に配置した画像を生成する
ことを特徴とする請求項２に記載の表示装置。
【請求項６】
前記表示制御部は、前記受付部が現在表示されている表示範囲とは異なる他の表示範囲の指定を受け付けると、当該他の表示範囲に係る画像を表示する前に、前記分割した抽出情報のうち少なくとも一つについて、その全部を拡大した画像を生成し、所定時間表示する
ことを特徴とする請求項５に記載の表示装置。
【請求項７】
前記表示制御部は、前記受付部が現在表示されている表示範囲とは異なる他の表示範囲の指定を受け付けると、前記分割した抽出情報のうち少なくとも一つについて、その全部を拡大して所定のスピードで所定の方向に移動させながら表示する
ことを特徴とする請求項５に記載の表示装置。
【請求項８】
前記表示制御部は、表示範囲を切り替える度に、前記分割した複数の抽出情報を順に表示する
ことを特徴とする請求項６又は請求項７に記載の表示装置。
【請求項９】
前記抽出情報は前記コンテンツに含まれる広告情報である
ことを特徴とする請求項１から請求項８の何れか１項に記載の表示装置。
【請求項１０】
前記抽出情報は前記コンテンツに含まれる写真情報である
ことを特徴とする請求項１から請求項９の何れか１項に記載の表示装置。
【請求項１１】
コンテンツの表示範囲の指定を受け付ける受付部と、
前記コンテンツから前記表示範囲とは別に表示すべき抽出情報を抽出する抽出部と、
前記受付部が表示範囲の指定を受け付けた場合に、前記コンテンツのうち当該指定された表示範囲に掲載された情報である分割コンテンツ情報と前記抽出情報とのうち少なくとも一つを含んだ画像を生成し送信する表示制御部と、
を備えることを特徴とする表示装置。
【請求項１２】
コンテンツの表示範囲の指定を受け付け、
前記コンテンツから前記表示範囲とは別に表示すべき抽出情報を抽出し、
前記表示範囲の指定を受け付けた場合に、前記コンテンツのうち当該指定された表示範囲に掲載された情報である分割コンテンツ情報と前記抽出情報とのうち少なくとも一つを含んだ画像を生成し表示する
ことを特徴とする表示装置の制御方法。
【請求項１３】
コンテンツの表示範囲の指定を受け付け、
前記コンテンツから前記表示範囲とは別に表示すべき抽出情報を抽出し、
前記表示範囲の指定を受け付けた場合に、前記コンテンツのうち当該指定された表示範囲に掲載された情報である分割コンテンツ情報と前記抽出情報とのうち少なくとも一つを含んだ画像を生成し送信する
ことを特徴とする表示装置の制御方法。
【請求項１４】
表示装置のコンピュータを、
コンテンツの表示範囲の指定を受け付ける手段、
前記コンテンツから前記表示範囲とは別に表示すべき抽出情報を抽出する手段、
前記表示範囲の指定を受け付けた場合に、前記コンテンツのうち当該指定された表示範囲に掲載された情報である分割コンテンツ情報と前記抽出情報とのうち少なくとも一つを含んだ画像を生成し表示する手段、
として機能させるためのプログラム。
【発明の詳細な説明】
【技術分野】
【０００１】
本発明は、表示装置、制御方法及びプログラムに関する。
【背景技術】
【０００２】
新聞の紙面は大きいため、混雑した電車などで新聞を読むことは困難な場合も多い。そこで、新聞をスマートフォン等の携帯可能なモバイル端末で閲覧したいというニーズがある。ところが、それらモバイル端末の表示画面は小さいため、新聞を閲覧する場合、読みたい記事の部分だけ拡大して表示させるといった操作が必要になる。例えば、特許文献１には、閲覧したい記事の見出し位置に対して所定の操作を行うと、その記事を表示画面に応じたサイズで表示する技術について記載がある。
【先行技術文献】
【特許文献】
【０００３】
【特許文献１】特開２００７−３２３３６９号公報
【発明の概要】
【発明が解決しようとする課題】
【０００４】
しかし、特許文献１の技術では、ユーザが閲覧したい部分だけが拡大されたり、適切なレイアウトに整形されて表示されるため、ユーザが、意識的に広告を見ない限り、新聞紙面に掲載された広告を見る機会は少なくなる。モバイル端末向けの新聞コンテンツの配信は、広告主にとっては、あまり利益が得られないものとなってしまうという課題があった。
【０００５】
そこでこの発明は、上述した解題を解決する表示装置、制御方法及びプログラムを提供することを目的としている。
【課題を解決するための手段】
【０００６】
本発明は、コンテンツの表示範囲の指定を受け付ける受付部と、前記コンテンツから前記表示範囲とは別に表示すべき抽出情報を抽出する抽出部と、前記受付部が表示範囲の指定を受け付けた場合に、前記コンテンツのうち当該指定された表示範囲に掲載された情報である分割コンテンツ情報と前記抽出情報とのうち少なくとも一つを含んだ画像を生成し表示する表示制御部と、を備えることを特徴とする表示装置である。
【０００７】
また本発明は、コンテンツの表示範囲の指定を受け付け、前記コンテンツから前記表示範囲とは別に表示すべき抽出情報を抽出し、前記表示範囲の指定を受け付けた場合に、前記コンテンツのうち当該指定された表示範囲に掲載された情報である分割コンテンツ情報と前記抽出情報とのうち少なくとも一つを含んだ画像を生成し表示することを特徴とする表示装置の制御方法である。
【０００８】
また本発明は、表示装置のコンピュータを、コンテンツの表示範囲の指定を受け付ける手段、前記コンテンツから前記表示範囲とは別に表示すべき抽出情報を抽出する手段、前記表示範囲の指定を受け付けた場合に、前記コンテンツのうち当該指定された表示範囲に掲載された情報である分割コンテンツ情報と前記抽出情報とのうち少なくとも一つを含んだ画像を生成し表示する手段、として機能させるためのプログラムである。
【発明の効果】
【０００９】
本発明によれば、新聞などの刊行物に掲載されている広告を確実にユーザが見るようにすることができるという効果が得られる。
【図面の簡単な説明】
【００１０】
【図１】本発明の第一の実施形態による表示装置の最小構成を示すブロック図である。
【図２】本発明の第一の実施形態による表示装置の構成の一例を示すブロック図である。
【図３】本発明の第一の実施形態による表示装置の一例を示す図である。
【図４Ａ】本発明の第一の実施形態による表示装置の動作の一例を示す第一の図である。
【図４Ｂ】本発明の第一の実施形態による表示装置の動作の一例を示す第二の図である。
【図４Ｃ】本発明の第一の実施形態による表示装置の動作の一例を示す第三の図である。
【図５】本発明の第一の実施形態による表示装置の処理フローの一例を示す図である。
【図６】本発明の第二の実施形態による表示装置の動作の一例を示す図である。
【図７】本発明の第二の実施形態による表示装置の処理フローの一例を示す図である。
【図８】本発明の第三の実施形態による表示装置の動作の一例を示す図である。
【図９】本発明の第四の実施形態による表示装置の動作の一例を示す図である。
【図１０】本発明の第五の実施形態による表示装置の構成の一例を示すブロック図である。
【図１１】本発明の第五の実施形態による表示装置の動作の一例を示す図である。
【発明を実施するための形態】
【００１１】
＜第一の実施形態＞
以下、本発明の一実施形態による表示装置を図１〜図５を参照して説明する。
図１は、第一の実施形態による表示装置の最小構成を示すブロック図である。
この図において、符号１は表示装置を表している。図１に示す通り、表示装置１は、受付部３０と、広告抽出部４０と、表示制御部７０とを少なくとも備えている。表示装置１は、新聞などの広告を含む刊行物の電子データを、ユーザが閲覧しやすいような形態で表示する装置である。
受付部３０は、表示装置１が表示した広告を含む刊行物の紙面について、ユーザから拡大して表示する表示範囲の指定を受け付ける。刊行物紙面の表示範囲の指定は、例えば、ユーザが、指やポインティングデバイス、あるいはマウス等の入力デバイスを用いて、表示範囲の外郭を描いてもよいし、複数の表示範囲が予め定められて用意されており、ユーザがその中から選択してもよい。この表示範囲とは、紙面の全面を表示画面に表示させると、全体を表示する為に字が小さくなってしまうため、ユーザが読みやすいように、紙面の一部を拡大して表示させる場合に表示される範囲のことである。以下、表示画面を４等分したそれぞれの領域が表示範囲として予め定められており、ユーザがそれら４つのうちの１つを選択して拡大表示する場合を例に説明を行う。
【００１２】
広告抽出部４０は、広告を含む刊行物紙面のデータから広告の情報を抽出する。例えば新聞の紙面の画像から、広告が掲載されている領域の位置情報を用いて、広告が掲載されている部分だけを抽出する。
表示制御部７０は、表示画面に表示する刊行物紙面の画像を生成し出力する。また、表示制御部７０は、ユーザが表示範囲を指定すると、指定された表示範囲に掲載された記事などの分割紙面の情報と、広告分割部５０が分割した広告の情報とを含んだ、刊行物紙面の表示範囲を拡大した表示画像を生成する。
【００１３】
図２は、本発明の第一の実施形態による表示装置の構成の一例を示すブロック図である。
図２に示す通り、表示装置１は、表示部１０と、入力部２０と、受付部３０と、広告抽出部４０と、広告分割部５０と、制御部６０と、表示制御部７０と、記憶部８０とを備えている。
表示部１０は、表示装置１に備えられた液晶ディスプレイなどの表示器である。また、本実施形態の表示部１０は、例えばディプレイパネルとタッチパネルが一体に組み合わされてもので、表示機能と入力機能を兼ね備えている。
入力部２０は、表示装置１に備えられたボタンなどの入力装置である。又、入力部２０は、キーボードやマウスなど表示装置１に接続されたデバイスでもよい。
ユーザは、入力部２０や表示部１０が備えるタッチパネル機能を用いて表示装置１を操作する。
広告分割部５０は、広告抽出部４０が抽出した広告の情報を、表示画面に表示したときにユーザが見やすい大きさとなるように広告単位に分割する。
【００１４】
制御部６０は、ユーザがタッチパネルや入力部２０を用いて行った操作に基づいてアプリケーションプログラムの起動・停止を行ったり、表示装置１の起動・停止を行うなどの各種制御を行う。
記憶部８０は、ＲＯＭ、ＲＡＭなどの記憶媒体である。記憶部８０は、表示装置１が表示部１０に出力する刊行物のデータや、表示装置１の備えるＣＰＵ（Ｃｅｎｔｒａｌ  Ｐｒｏｃｅｓｓｉｎｇ  Ｕｎｉｔ）によって実行される刊行物閲覧用のビューワなどの各種プログラムを記憶している。また、刊行物の各紙面については、広告情報がどの領域に掲載されているかを示す位置情報が格納されている。位置情報とは例えば、広告が掲載されている領域が矩形型であれば、その矩形の各頂点の座標情報である。また、本実施形態の場合、各紙面について、予め定められた表示範囲に対応する４分割された分割紙面の画像情報が用意されていて記憶部８０に格納されていてもよい。
なお、受付部３０と、広告抽出部４０と、広告分割部５０と、制御部６０と、表示制御部７０とは、表示装置１の備えるＣＰＵがハードディスクなどの記憶部８０からプログラムを読み出し実行することで備わる機能である。
【００１５】
図３は、本発明の第一の実施形態による表示装置の一例を示す図である。
以下、図３を用いて、本実施形態の表示装置１の説明を行う。
第一の実施形態による表示装置１の代表的な例は図３に示すようなモバイル端末装置である。表示装置１は、ＣＰＵやメモリを備えるコンピュータによって構成される。
図３は、表示装置１の正面図である。図３が示す通り表示装置１は、表示部１０を備えている。表示部１０には、例えば静電容量方式の、タッチパネルを備えている。表示装置１は、その他に電源スイッチ（図示せず）などの公知の部材を備えている。表示部１０には、刊行物紙面の紙面イメージが表示される。以下では、刊行物として新聞を例に説明を行う。また、表示部１０の表示領域を４分割した左上の領域を領域１０Ａ、右上の領域を領域１０Ｂ、左下の領域を領域１０Ｃ、右下の領域を領域１０Ｄとする。
以下で説明するように、新聞のある紙面の全面が表示部１０に表示された状態で、ユーザが、例えば領域１０Ａをタップすると、紙面のうち領域１０Ａに表示されていた部分が拡大されて表示部１０の全面に表示される。また、その状態から、ユーザが表示部１０に対して例えば右から左にフリック操作を行うと、紙面の全面を表示した状態で領域１０Ｂに表示されていた部分が拡大されて表示部１０の全面に表示される。
【００１６】
図４Ａは、本発明の第一の実施形態による表示装置の動作の一例を示す第一の図である。
図４Ｂは、本発明の第一の実施形態による表示装置の動作の一例を示す第二の図である。
図４Ｃは、本発明の第一の実施形態による表示装置の動作の一例を示す第三の図である。
以下、図４Ａ〜図４Ｃを用いて、本実施形態における分割紙面の拡大表示及び広告情報を表示する方法の一例について説明を行う。
図４Ａは、表示装置１の表示部１０に表示された新聞紙面画像の一例である。符号１２Ａ、１２Ｂ、１２Ｃ、１２Ｄは、新聞紙面画像を４等分した分割紙面画像である。符号１１は、広告情報を示している。ユーザが、これらの分割紙面画像１２Ａ〜１２Ｄのうちから１つを選択すると、表示制御部７０は、選択された分割紙面画像と広告情報１１とを組み合わせて、表示部１０に表示する。
【００１７】
まず、ユーザが表示範囲を選択する操作について説明する。第一の選択操作は、図４Ａの紙面の全面が表示された状態で、ユーザが、閲覧したい記事が表示された領域１０Ａ〜１０Ｄの任意の箇所をタップする操作である。ユーザがタップ操作を行うと、受付部３０は、そのタップ操作による表示範囲の指定を受け付ける。そして、表示制御部７０は、指定された表示範囲に対応する分割紙面画像を拡大表示する。
第二の選択操作は、第一の選択操作により指定された分割紙面画像が拡大表示された状態から、ユーザが、閲覧したい記事が含まれる表示範囲を表示させるように、フリックする操作である。例えば、分割紙面画像１２Ｂが拡大表示された状態で、ユーザが、表示部１０の任意の位置において、左から右にフリック操作を行う。すると、紙面全面を表示させた状態において領域１０Ｂの左側、つまり領域１０Ａに表示されていた分割紙面画像１２Ａが、表示範囲として指定されたことになる。ユーザがこのようなフリック操作を行うと、受付部３０は、そのフリック操作による表示範囲の指定を受け付ける。そして、表示制御部７０は、指定された表示範囲に対応する分割紙面画像を拡大表示する。
【００１８】
次に、ユーザが上記の選択操作を行ったときの動作について説明する。まず、図４Ａにおいて、ユーザが、領域１０Ｂの任意の位置をタップしたとする。すると、受付部３０は、分割紙面画像１２Ｂを拡大表示する表示範囲に決定する。また、広告抽出部４０が、広告情報１１を抽出する。この広告情報１１には、複数の広告が含まれている場合もある。例えば２つの広告が含まれている場合、図４Ｂに示すように、広告分割部５０は、抽出した広告情報１１を、広告ごとに２つに分割する。広告情報１１に広告が２つ含まれていることや、それぞれの広告が表示されている範囲の座標情報が予め記憶部８０に格納されており、広告分割部５０は、この格納情報に従って広告情報１１を分割する。分割した広告情報をそれぞれ広告情報１１Ａ、広告情報１１Ｂとする。表示制御部７０は、分割した広告情報１１Ａ、１１Ｂを、分割紙面画像１２Ｂの左側と下側に配置して拡大紙面の画像を生成する。表示制御部７０は、生成した拡大紙面画像を表示部１０に出力する。
【００１９】
図４Ｃ（ａ）〜図４Ｃ（ｄ）は、このようにして表示制御部７０が生成した拡大紙面画像の一例である。図４Ｃ（ａ）は、ユーザが選択した表示範囲が領域１０Ａの場合に表示される拡大紙面画像である。図４Ｃ（ｂ）は、ユーザが選択した表示範囲が領域１０Ｃの場合に表示される拡大紙面画像である。図４Ｃ（ｃ）は、ユーザが選択した表示範囲が領域１０Ｄの場合に表示される拡大紙面画像である。図４Ｃ（ｄ）は、ユーザが選択した表示範囲が領域１０Ｂの場合に表示される拡大紙面画像である。
また、例えば、図４Ｃ（ａ）が表示された状態で、ユーザが下から上方向にフリック操作を行うと、表示制御部７０は、図４Ｃ（ｂ）の拡大紙面画像を表示する。あるいは、図４Ｃ（ｂ）が表示された状態で、ユーザが右から左方向にフリック操作を行うと、表示制御部７０は、図４Ｃ（ｃ）の拡大紙面画像を表示する。他の場合も同様である。
【００２０】
次に、図４Ｃ（ａ）を例に拡大紙面画像の説明を行う。分割紙面画像１２Ａは、紙面の左上の領域に掲載されている記事群である。分割紙面画像１２Ａには、紙面を４分割した左上の領域に掲載されていた記事などがそのまま拡大されて表示される。つまり、４分割した他の領域とまたがって掲載された記事なども、紙面を４分割する線によって切断された状態で表示される。これは、ユーザにとっては、新聞紙を４つ折りにして読むのと同じ状態である。
広告情報１１Ａは、紙面の下部に表示されていた広告情報のうち左側に表示されていた広告である。広告情報１１Ａは、分割紙面画像１２Ａの左側に配置される。広告情報１１Ａは、紙面上では、横長方向に配置されていたが、拡大表示後は、反時計方向に９０度回転した状態で配置されている。広告情報１１Ｂは、紙面の下端部に表示されていた広告情報のうち右側に表示されていた広告である。広告情報１１Ｂは、分割紙面画像１２Ａの下側に配置されている。
【００２１】
図５は、本発明の第一の実施形態による表示装置の処理フローの一例を示す図である。
図５の処理フローを用いて分割紙面の拡大表示及び広告情報の表示処理について説明する。
前提として、ユーザの操作により、ある新聞の電子データが選択され、表示部１０にその新聞紙面が全面表示されているものとする。
まず、ユーザにより、ある表示範囲が選択される。すると表示部１０が、ユーザがタップ操作を検出し、そのタップ位置の位置情報を、受付部３０に出力する。次に、受付部３０は、例えば、４つの表示範囲それぞれの頂点の座標情報と取得した位置情報とを比較して、ユーザのタップ位置がどの表示範囲に含まれるかを決定する（ステップＳ１１）。受付部３０は、選択された表示範囲の識別子を、表示制御部７０に出力する。
【００２２】
次に、広告抽出部４０は、現在の紙面に表示されている広告情報を抽出する（ステップＳ１２）。例えば、広告抽出部４０は、記憶部８０から、広告が表示された位置の位置情報を取得する。そして、広告抽出部４０は、記憶部８０が記憶する当該紙面の画像から、取得した位置情報が示す領域を切り出す。広告抽出部４０は、抽出した広告情報を、広告分割部５０に出力する。広告分割部５０は、広告ごとに表示領域を規定した情報を記憶部８０から読み出して、広告単位に広告情報を分割する（ステップＳ１３）。また広告分割部５０は、分割した広告情報の数や、各広告情報が占める領域の大きさ等から、予め定められた広告情報の表示方法に基づいて、ユーザが閲覧しやすい大きさとなるように広告情報を組み合わせ、全部で２つの広告情報１１Ａ、１１Ｂを生成する。広告分割部５０は、分割した広告情報１１Ａ，１１Ｂを表示制御部７０へ出力する。
【００２３】
次に、表示制御部７０は、受付部３０から取得した表示範囲の識別子に基づいて、記憶部８０から当該表示範囲の分割紙面画像１２Ａ〜１２Ｄの何れかを取得する。また、表示制御部７０は、取得した分割紙面画像の周縁の外側に広告情報１１Ａ，１１Ｂを配置した拡大紙面画像を生成する。このとき、表示制御部７０は、予め定められた広告情報の表示範囲に従って、広告情報１１Ａ，１１Ｂを、例えば、図４Ｃ（ａ）〜図４Ｃ（ｄ）のような位置関係に配置してもよいし、あるいは、分割紙面画像の右側と上側に配置してもよい。あるいは、表示制御部７０は、広告情報１１Ａ又は広告情報１１Ｂの何れかを分割紙面画像の下側だけに配置し、表示領域を切り替える度に、前回表示されたものとは異なる広告情報を表示するようにしてもよい。そして、表示制御部７０は、拡大紙面画像を表示部１０へ出力する（ステップＳ１５）。以上で本処理フローを終了する。
【００２４】
本実施形態によれば、簡単なタップ操作などで新聞など刊行物の紙面を記事が読みやすい大きさに拡大表示することができる。従って、モバイル端末で紙面を閲覧する場合であっても、ユーザは、容易に記事を読むことができる。また、紙面に含まれる広告情報を、拡大表示した紙面の一部の情報と並行して表示することで、広告を確実にユーザの目に触れさせることができる。
【００２５】
＜第二の実施形態＞
以下、本発明の第二の実施形態による表示装置１を図６〜図７を参照して説明する。
第二の実施形態による表示装置１の構成は、第一の実施形態と同様である。
図６は、本発明の第二の実施形態による表示装置の動作の一例を示す図である。
以下、図６を用いて、本実施形態における分割紙面の拡大表示及び広告情報を表示する方法の一例について説明を行う。本実施形態では、分割紙面を全画面に表示しているときには広告情報を表示せず、画面遷移の際に広告情報を表示する。
【００２６】
図６（ａ）は、第一の実施形態と同様に、紙面の全面を表示部１０に表示した状態から、ユーザが、表示画面右上の領域１０Ｂに対して選択操作を行った場合に、表示部１０に表示される拡大紙面画像である。本実施形態では、表示制御部７０は、分割紙面画像１２Ｂを表示部１０の全面に表示する。このとき本実施形態では、広告情報１１Ａ、１１Ｂは表示しない。
図６（ｂ）は、図６（ａ）の状態においてユーザが、表示部１０に対して、左から右へフリック操作を行った結果、表示部１０に表示される拡大紙面画像である。ユーザが上記のフリック操作を行うと、表示制御部７０は、広告情報１１Ａの左端が表示部１０の左端と揃うように、分割紙面画像１２Ｂを右へずらして表示する。右へずらした分、分割紙面画像１２Ｂの右側の一部は表示されない。
【００２７】
図６（ｃ）は、図６（ｂ）の状態から所定時間経過後に表示部１０に表示される拡大紙面画像である。所定時間とは、例えば数秒である。所定時間が経過すると、表示制御部７０は、紙面の全面を表示したときに領域１０Ｂの左隣の領域１０Ａに表示されていた分割紙面画像１２Ａを表示部１０の全面に表示する。図６（ａ）と同様に、広告情報１１Ａ、１１Ｂは表示されない。図６（ａ）の状態においてユーザがフリック操作を行うと、図６（ｂ）を経て、図６（ｃ）の状態になる。
図６（ｄ）は、図６（ｃ）の状態においてユーザが、表示部１０に対して、右から左へフリック操作を行った結果、表示部１０に表示される拡大紙面画像である。ユーザが上記のフリック操作を行うと、表示制御部７０は、広告情報１１Ａの右端が表示部１０の右端と揃うように、分割紙面画像１２Ａを左へずらして表示する。左へずらした分、分割紙面画像１２Ａの左側の一部は表示されない。
所定時間が経過すると、表示制御部７０は、紙面の全面を表示したときに領域１０Ａの右隣の領域１０Ｂに表示されていた分割紙面画像１２Ｂを、図６（ａ）で示すように表示部１０の全面に表示する。
【００２８】
なお、ここでは、ユーザの横方向のフリック操作による分割画面の遷移についてについて説明したが、ユーザが縦方向や斜め方向のフリック操作を行った場合の画面遷移についても同様である。例えば、図６（ａ）の状態からユーザが、表示部１０に対して、下から上へフリック操作を行うと、表示制御部７０は、広告情報１１Ｂの下端が表示部１０の下端と揃うように、分割紙面画像１２Ｂを上へずらして表示する。さらに、所定時間が経過すると、表示制御部７０は、紙面の全体を表示させたときに領域１０Ｂの下の領域１０Ｄに表示されていた分割紙面画像１２Ｄを、表示部１０の全面に表示する。
【００２９】
本実施形態の処理フローについて説明する。まず、紙面の画像が全面表示された状態から、ユーザがある表示範囲を選択したときの動作について図５を用いて説明する。この場合、ステップＳ１１〜ステップＳ１３の処理は第一の実施形態と同様である。ステップＳ１４において、表示制御部７０は、記憶部８０から、選択された表示範囲の分割紙面情報を読み出して、広告情報１１Ａなどを付加せずに、拡大紙面画像を生成する。そして、表示制御部７０は、生成した拡大紙面画像を表示する（ステップＳ１５）。
【００３０】
次に、図７を用いて、表示部１０に分割紙面が拡大して表示されている状態からユーザがフリック操作を行ったときの動作について図６を例に説明を行う。
図７は、本発明の第二の実施形態による表示装置の処理フローの一例を示す図である。
まず、ステップＳ１１は、図５と同様である。次にステップＳ１６において、表示制御部７０は、フリック方向に応じて広告情報１１Ａ、１１Ｂの何れかを選択し、現在表示されている分割紙面画像１２Ｂに対して予め定められた位置に配置する。予め定められた位置に配置とは、例えば以下のように配置することをいう。左から右にフリックしたときは、広告情報を分割紙面画像の左側に配置する。また、右から左にフリックしたときは、広告情報を分割紙面画像の右側に配置する。また、下から上にフリックしたときは、広告情報を分割紙面画像の下側に配置し、上から下にフリックした時は、広告情報を分割紙面画像の上側に配置する。図６（ａ）〜図６（ｂ）の動作を例にとると、表示制御部７０は、フリック方向に応じて広告情報１１Ａ、１１Ｂから広告情報１１Ａを選択し、現在表示されている分割紙面画像１２Ｂの左側に配置する。
【００３１】
次に表示制御部７０は、広告情報と分割紙面画像とを適切に配置した画像データから、表示部１０の表示領域に広告情報が全て含まれるように表示させたときに、表示される範囲のデータを切り出し、広告情報と分割紙面画像とが含まれた拡大紙面画像を生成する（ステップＳ１６）。そして、表示制御部７０は、生成した画像を表示部１０に表示する(ステップＳ１５)。
【００３２】
次に、表示制御部７０は、表示装置１が備えるタイマー機能を用いて、拡大紙面画像を表示してから所定の時間が経過したかどうかを判定する（ステップＳ１７）。所定時間が経過しない場合は、所定時間経過までステップＳ１５で表示した図６（ｂ）や図６（ｄ）で例示した拡大紙面画像の表示を続ける。所定の時間が経過すると、表示制御部７０は、フリック操作の方向に応じた次の拡大紙面画像を生成し、表示する（ステップＳ１８）。以上で本処理フローを終了する。
なお、ユーザのフリック操作におけるフリックした距離を制御部６０が判定し、フリックさせた距離が所定の距離未満であれば、広告を含んだ拡大紙面画像を表示させた後、次の拡大紙面画像を表示せず、再びそれまで表示していた拡大紙面画像に戻ってもよい。
【００３３】
本実施形態によれば、分割紙面を表示させているときは広告表示を行わないので、表示領域を最大限ユーザが閲覧したい情報の表示に用いることができる。その為、表示領域が小さなモバイル端末装置でも活用しやすい。また、ユーザは、記事の閲覧中に広告に目を取られることが無い。
【００３４】
＜第三の実施形態＞
以下、本発明の第三の実施形態による表示装置１を図８を参照して説明する。
第三の実施形態による表示装置１の構成は、第一の実施形態と同様である。
図８は、本発明の第三の実施形態による表示装置の動作の一例を示す図である。
以下、図８を用いて、本実施形態における分割紙面の拡大表示及び広告情報を表示する方法の一例について説明を行う。本実施形態では、分割紙面を全画面に表示しているときには、広告情報の一部を分割紙面の下側に表示し、画面遷移の際に広告情報を拡大して表示する。
【００３５】
図８（ａ）は、紙面が全面に表示された状態を示している。図８（ｂ）は、広告情報１１に、広告情報１１Ａと広告情報１１Ｂが含まれていることを示している。この状態からユーザが領域１０Ｂの任意の位置をタップしたとする。すると、図８（ｃ）が示すように、表示制御部７０は、分割紙面画像１２Ｂとその下側に広告情報１１Ａの一部を配置した画像を生成し、この拡大紙面画像を表示部１０の全面に表示する。このとき、例えば、表示画面の下側の数ミリ程度を広告情報の表示領域と定め、この領域に広告情報１１Ａの一部を表示してもよい。また、広告情報１１Ａの一部の表示態様については、任意でよい。例えば、図８（ｂ）の広告情報１１Ａを、表示部１０の表示領域からはみ出さない程度に拡大し、その画像の上端部から数ミリ分の広告情報を表示する。また、広告情報１１Ａと広告情報１１Ｂのうち、どちらを表示するかについては予め優先度が定められているものとする。
【００３６】
図８（ｄ）は、図８（ｃ）の状態においてユーザが、表示部１０に対して、下から上へフリック操作を行った結果、表示部１０に表示される拡大紙面画像である。ユーザが、フリック操作を行うと、表示制御部７０は、図８（ｃ）で表示した画像に代えて、広告情報１１Ａを拡大した画像を生成し、所定時間表示する。
図８（ｅ）は、図８（ｄ）の状態から所定時間（例えば数秒）経過後に、表示部１０に表示される拡大紙面画像である。所定時間が経過すると、表示制御部７０は、紙面全面を表示したときに領域１０Ｂの下の領域１０Ｄに表示されていた分割紙面画像１２Ｄとその下側に広告情報１１Ｂの一部を配置した画像を生成し表示する。本実施形態では、図８（ｃ）の状態においてユーザがフリック操作を行うと、図８（ｄ）を経て、図８（ｅ）の状態になる。
【００３７】
なお、図８の説明では、ユーザの縦方向のフリック操作による分割画面の遷移についてについて説明したが、横方向や斜め方向のフリック操作についても同様である。例えば、図８（ｅ）の状態から、ユーザが左から右へフリック操作を行うと、表示制御部７０は、広告情報１１Ｂを拡大した画像を表示し、所定時間経過後に、分割紙面画像１２Ｃとその下側に広告情報１１Ａの一部を配置した画像を表示する。また、拡大紙面画像が表示された状態から、所定の操作によって、紙面の全面を表示するように切り替える際にも図８（ｄ）で示したように広告情報を拡大した画像を所定時間表示させるようにしても構わない。
このように、本実施形態では、ユーザが同一紙面上の異なる領域に表示範囲を切り替える度に、紙面上に掲載された複数の広告を、順番に全画面表示する。それにより、広告情報を確実にユーザの目に触れさせることができる。なお、本実施形態において、広告情報の一部を表示するのは、次に全面表示する広告の存在を暗示するためである。表示部１０の一部に、わずかに広告を表示しておくことで、ユーザに対して、次の分割紙面を表示する前に広告が全面表示されることへの意識づけができる。また、図８の説明では、広告情報の一部を分割紙面画像の下側に表示する例を用いて説明したが、分割紙面画像の周縁の外側の例えば上側や左側に表示する表示態様でもよい。
【００３８】
本実施形態の処理フローについて説明する。まず、紙面の全面が表示された状態から、ユーザがある表示範囲を選択したときの動作について図５を用いて説明する。この場合、図５のステップＳ１１〜Ｓ１３は第一の実施形態と同様である。ステップＳ１４において、表示制御部７０は、記憶部８０から、選択された表示範囲の分割紙面画像を読み出す。そして、表示制御部７０は、広告分割部５０から取得した分割後の広告情報の一つを選択し、分割紙面画像の下側に広告情報の一部を配置した拡大紙面画像を生成する。そして、表示制御部７０は、生成した拡大紙面画像を表示する（ステップＳ１５）。
次に、表示部１０に拡大紙面画像が表示されている状態から、ユーザがフリック操作を行って表示範囲を指定したときの動作について図７を用いて説明する。この場合、ステップＳ１１は、第二の実施形態と同様である。ステップＳ１６において、表示制御部７０は、複数の広告情報のうち、現在表示している拡大紙面画像の下側の領域に表示している広告情報を拡大した画像を生成する。ステップＳ１５、Ｓ１７は、第二の実施形態と同様である。また、ステップＳ１８において、表示制御部７０は、次の分割紙面画像の下側に、ステップＳ１５で表示した広告とは別の広告情報の一部を配置した拡大紙面画像を生成し、表示部１０に表示する（ステップＳ１８）。
【００３９】
＜第四の実施形態＞
以下、本発明の第四の実施形態による表示装置１を図９を参照して説明する。
第四の実施形態による表示装置１の構成は、第一の実施形態と同様である。
図９は、本発明の第四の実施形態による表示装置の動作の一例を示す図である。
以下、図９を用いて、本実施形態における分割紙面の拡大表示及び広告情報を表示する方法の一例について説明を行う。本実施形態は、画面遷移の際の広告情報の表示が第三の実施形態と異なる。
【００４０】
図９（ａ）は、ユーザが表示部１０の右上の領域１０Ｂをタップしたときに表示される拡大紙面画像である。第三の実施形態同様、表示制御部７０は、分割紙面画像１２Ｂとその下に広告情報１１Ａの一部を配置した拡大紙面画像を表示部１０に出力する。
図９（ｂ）、図９（ｃ）は、その状態からユーザが、下から上にフリック操作を行ったときに表示される拡大紙面画像である。本実施形態では、分割紙面画像１２Ｂと、拡大された広告情報１１Ａと、分割紙面画像１２Ｄとが連続した一連の画像として構成され、ユーザの上記のフリック操作によって、一連画像がこの順番に連続して流れるように表示される。
図９（ｄ）は、一連画像の連続表示が完了し、次の分割紙面画像１２Ｄが表示された状態を示している。表示制御部７０は、分割紙面画像１２Ｄとその下に広告情報１１Ｂの一部を配置した拡大紙面画像を表示部１０に出力する。第三の実施形態同様、表示制御部７０は、これまで表示していた広告情報１１Ａとは異なる、広告情報１１Ｂを、拡大紙面画像の下側の領域に表示する。
【００４１】
本実施形態の処理フローについて説明する。まず、紙面の全面が表示された状態から、ユーザがある表示範囲をタップ操作によって選択したときの動作について説明する。このときの処理は、第三の実施形態と同様である。次に、表示部１０に拡大紙面画像が表示されている状態からユーザがフリック操作によって他の表示範囲を選択したときの動作について図７を用いて説明する。この場合、ステップＳ１１は、第三の実施形態と同様である。ステップＳ１６において、表示制御部７０は、現在表示している分割紙面画像と、表示部１０の下側に表示していた広告情報と、次に表示する分割紙面画像とを、ユーザのフリックした先の方向を先頭にしてこの順番で並べ接続した一連画像を生成する。次に、ステップＳ１５において、表示制御部７０は、生成した一連画像を、所定のスピードで、ユーザがフリック操作した方向に移動させながら表示部１０に表示する。次のステップＳ１７は、本実施形態では行わない。最後にステップＳ１８は、第三の実施形態と同様である。
【００４２】
本実施形態によれば、刊行物紙面の記事情報と広告情報を連続的に表示させることができる。これにより、記事情報を表示する際に広告情報の一部が表示画面の下側の領域に表示されるものの、広告情報が停止して全面に表示される状態が無いため、ユーザにとって強制的に広告を見せられる心理的な時間が減少し、比較的ストレスを感じさせずに、ユーザに対して広告を提示することができる。
なお、ユーザがフリック操作を下から上に向けて行った場合を例に説明を行ったが、フリックした方向が他の方向の場合も同様である。例えば、図９（ａ）の状態から、ユーザが、左から右へフリック操作をおこなったとする。その場合、表示制御部７０は、分割紙面画像１２Ｂと広告情報１１Ａと分割紙面画像１２Ａとを所定のスピードで連続して流れるように表示し、最終的に分割紙面画像１２Ａとその下側に広告情報１１Ｂを配置した拡大紙面画像を出力する。
【００４３】
＜第五の実施形態＞
以下、本発明の第五の実施形態による表示装置１を図１０〜図１１を参照して説明する。
図１０は本発明の第五の実施形態による表示装置の構成の一例を示すブロック図である。
図１０で示すように、本実施形態による表示装置１は、写真抽出部９０を備えている。その他の構成は第一の実施形態と同様である。
写真抽出部９０は、紙面に含まれる写真データを抽出する。例えば、紙面において写真が表示されている領域の座標情報が予め記憶部８０に記録されていて、写真抽出部９０は、この情報を用いて、紙面の画像から、その位置情報が示す写真が掲載された領域を切り出す。
【００４４】
図１１は、本発明の第五の実施形態による表示装置の動作の一例を示す図である。
以下、図１１を用いて、本実施形態における分割紙面の拡大表示及び紙面に含まれる写真データを表示する方法の一例について説明を行う。
【００４５】
図１１（ａ）は、紙面が全面に表示された状態を示している。符号１４は、当該紙面に掲載された写真情報である。符号１１は広告情報である。
図１１（ｂ）は、広告情報１１に、広告情報１１Ａと広告情報１１Ｂが含まれていることを示している。この状態からユーザが領域１０Ｂの任意の位置をタップしたとする。すると、図１１（ｃ）が示すように、表示制御部７０は、分割紙面画像１２Ｂとその下側に写真情報１４の一部（写真情報１４Ａ）を配置した画像を生成し、この拡大紙面画像を表示部１０の全面に表示する。写真情報１４Ａの表示領域や表示態様は、例えば第三の実施形態と同様である。
【００４６】
図１１（ｄ）は、図１１（ｃ）の状態においてユーザが、表示部１０に対して、下から上へフリック操作を行った結果、表示部１０に表示される拡大紙面画像である。ユーザが、フリック操作を行うと、表示制御部７０は、図１１（ｃ）で表示した画像に代えて、写真情報１４を拡大した画像を生成し、所定時間表示する。
図１１（ｅ）は、図１１（ｄ）の状態から所定時間（例えば数秒）経過後に、表示部１０に表示される拡大紙面画像である。所定時間が経過すると、表示制御部７０は、分割紙面画像１２Ｄとその下側に広告情報１１Ａの一部を配置した画像を生成し、表示する。
【００４７】
なお、図１１（ｃ）〜図１１（ｅ）の表示遷移は、次のようにしてもよい。つまり、図１１（ｃ）からユーザが上記のフリック操作を行うと、図１１（ｄ）の状態へ遷移する。そして、その状態から改めてユーザが下から上へのフリック操作を行うと、図１１（ｄ）から図１１（ｅ）の状態へ遷移する。このような動作にしておけば、ユーザが図１１（ｃ）の状態で分割紙面画像１２の記事を閲覧している途中で、写真情報１４が気になったような場合に、フリック操作によって図１１（ｄ）の状態にして写真情報１４を確認し、確認が終わると今度は、上から下へのフリック操作を行って元の図１１（ｃ）に戻ることも可能である。
【００４８】
また、ユーザの縦方向のフリック操作による分割画面の遷移についてについて説明したが、横方向や斜め方向のフリック操作についても同様である。
また、表示制御部７０が、広告情報と写真情報を表示させる場合分けについては、例えば、次のようにする。表示制御部７０は、写真情報１４が掲載された領域である領域１０Ａや領域１０Ｂをユーザが選択して、分割紙面画像１２Ａ又は分割紙面画像１２Ｂが表示されている場合に、写真情報１４の一部を下側に表示する。また、その状態から、ユーザが他の表示範囲を選択したときに、表示制御部７０は、写真情報１４の拡大表示を行う。一方、他の分割紙面画像１２Ｃや分割紙面画像１２Ｄが選択された場合、表示制御部７０は、広告情報１１Ａ又は広告情報１１Ｂの一部を表示し、その状態から、他の表示範囲に切り替える場合に広告情報１１Ａなどの拡大表示を行う。
【００４９】
本実施形態では、紙面に写真が含まれている場合、広告だけでなく写真も拡大表示することができる。それにより、分割紙面画像を全面に表示しても写真が小さくて見づらい場合にも紙面に掲載された写真を拡大して表示することができる。また、写真が表示範囲をまたがって掲載されている場合、分割紙面画像を全面に表示しても写真の一部しか見ることができない。そのような場合でも、本実施形態によれば、ユーザは、写真全体を見ることができる。
なお、上記の説明では第三の実施形態と組み合わせた場合を例に説明を行ったが、第一、第二、第四の実施形態と組み合わせることも可能である。
【００５０】
上記の実施形態において、表示装置１がサーバ装置であって、表示制御部７０は、生成した画像を、ネットワークを介して接続されたクライアント端末に送信するようにしてもよい。
なお、広告抽出部４０及び写真抽出部９０は、抽出部の一例である。また、広告分割部５０は分割部の一例である。また、広告を含む刊行物紙面の画像はコンテンツの一例である。また、分割紙面情報は、分割コンテンツ情報の一例である。また、抽出した広告情報及び抽出した写真情報は、抽出情報の一例である。
【００５１】
なお、上述の表示装置１は内部にコンピュータを有している。そして、上述した表示装置１の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５２】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００５３】
１・・・表示装置
１０・・・表示部
２０・・・入力部
３０・・・受付部
４０・・・広告抽出部
５０・・・広告分割部
６０・・・制御部
７０・・・表示制御部
８０・・・記憶部
９０・・・写真抽出部
【図１】
2015176544.tif 000003
【図２】
2015176544.tif 000004
【図３】
2015176544.tif 000005
【図４Ｂ】
2015176544.tif 000006
【図４Ｃ】
2015176544.tif 000007
【図５】
2015176544.tif 000008
【図７】
2015176544.tif 000009
【図１０】
2015176544.tif 000010
【図４Ａ】
2015176544.tif 000011
【図６】
2015176544.tif 000012
【図８】
2015176544.tif 000013
【図９】
2015176544.tif 000014
【図１１】
2015176544.tif 000015